(57)【特許請求の範囲】
【請求項１】
斜面における植栽方法であって、地面に載置する状態で配置された苗の根を、予め地面に敷設した網状体に保持された袋体によって上から押さえ込むことを特徴とする植栽方法。
【請求項２】
前記袋体は、網状体に設けられたポケット部に収容されることにより網状体に保持されている請求項１に記載の植栽方法。
【請求項３】
前記袋体内には、保水材としての機能、肥料としての機能、土壌改良材としての機能、植物成長促進剤としての機能のうち、何れか一以上を発揮する材料が収容される請求項１または２に記載の植栽方法。
【請求項４】
前記袋体内に、埋土種子入り表土を含む請求項１〜３のいずれか１項に記載の植栽方法。
【発明の詳細な説明】
【技術分野】
【０００１】
本発明は、例えば、法面緑化に用いて好適な植栽方法に関する。
【背景技術】
【０００２】
従来、法面Ｎの緑化を目的として、図３に示すように、法面Ｎに間隔をおいて複数の穴５１を掘り、各々の穴５１にポット苗や苗木等の苗５２を植栽する、という工法が実施されている。しかし、斯かる工法では、複数の穴５１を掘る作業に多大な手間と労力とを要する。また、苗５２の移植先となる土壌の水はけが悪ければ移植後の苗５２が根腐れする恐れもある。
【先行技術文献】
【特許文献】
【０００３】
【特許文献１】特開２００１−９００７７号公報
【発明の概要】
【発明が解決しようとする課題】
【０００４】
そこで、図４に示すように、植栽用土５３を収容した袋体５４を法面Ｎ上に設置し、この袋体５４に苗５２を移植することが考えられる（特許文献１参照）。なお、図４に示す袋体５４は開閉部５５で覆われる植栽用開口５６を有し、開閉部５５は苗５２の植栽作業時にのみ開けられ、平時は閉ざされている。
【０００５】
しかし、図４に示すような袋体５４を用いる場合でも、苗５２の植栽時に苗５２の根を植栽用土５３内にある程度深く埋めるための穴掘りが必要であり、この穴掘り作業にやはり手間や労力がかかるという問題がある。
【０００６】
本発明は上述の事柄に留意してなされたもので、その目的は、苗の植栽を簡易にかつ低労力で行うことができ、植栽後の苗の根腐れの防止も図れる植栽方法を提供することにある。
【課題を解決するための手段】
【０００７】
上記目的を達成するために、本発明に係る植栽方法は、斜面における植栽方法であって、地面に載置する状態で配置された苗の根を、予め地面に敷設した網状体に保持された袋体によって上から押さえ込む（請求項１）。
【０００８】
上記植栽方法において、前記袋体は、網状体に設けられたポケット部に収容されることにより網状体に保持されていてもよい（請求項２）。また、上記植栽方法において、前記袋体内には、保水材としての機能、肥料としての機能、土壌改良材としての機能、植物成長促進剤としての機能のうち、何れか一以上を発揮する材料が収容されていてもよい（請求項３）。
【０００９】
上記植栽方法において、前記袋体内に、埋土種子入り表土を含んでもよい（請求項４）。
【発明の効果】
【００１０】
本願発明では、苗の植栽を簡易にかつ低労力で行うことができ、植栽後の苗の根腐れの防止も図れる植栽方法が得られる。
【００１１】
すなわち、本願の各請求項に係る発明の植栽方法では、穴掘り作業を不要とすることができるので、苗の植栽を簡易にかつ低労力で行うことが可能となる。
【００１２】
さらに、本発明の植栽方法では、苗の根を土壌中に埋め込むのではなく土壌表面に載置する状態とするので、たとえ植栽先の土壌が水はけの悪い土質をしていても、根が常に水に浸った状態とはならず、故に苗の根腐れは生じ難い。また、袋体により苗の根の乾燥が防止され、苗の活着が促進される。
【００１３】
請求項３に係る発明の植栽方法では、袋体内から外部に水分や養分等が浸み出すようにすれば、その水分等が植栽後の苗の根に供給されることになるので、苗の良好な生長を期待することができる。
【００１４】
請求項４に係る発明の植栽方法では、施工地周辺から採取した埋土種子入り表土を活用することにより、施工地周辺の植物環境（自然環境）との調和のとれた緑化を図ることができ、請求項４に係る発明の植栽方法では、袋体の設置の簡易化を図ることができる。
【図面の簡単な説明】
【００１５】
【図１】本発明の一実施の形態に係る植栽方法の構成を概略的に示す斜視図である。
【図２】（Ａ）〜（Ｃ）は、前記植栽方法の構成を概略的に示す説明図である。
【図３】植栽方法の従来例を概略的に示す説明図である。
【図４】植栽方法の他の従来例を概略的に示す説明図である。
【発明を実施するための形態】
【００１６】
本発明の実施の形態について図面を参照しながら以下に説明する。
【００１７】
図１、図２（Ａ）〜（Ｃ）に示す植栽方法は、法面（地面の一例）Ｎ上に敷設される網状体１のポケット部２内に苗木（苗の一例）３及び袋体４を収容し、ポケット部２内で法面Ｎに接触可能な状態で配置された苗木３の根３ａを、同じくポケット部２内に収容された袋体４によって上から押さえ込み、苗木３が流亡等しないようにする、というものである。
【００１８】
ここで、網状体１は、フロントネットとバックネットとを一体化してなる二重構造をしていて、その長手方向に適宜の間隔おきに設けられた筒状のポケット部２を備えている（図１参照）。両ネット（フロントネット及びバックネット）はそれぞれ経糸（縦糸）および緯糸（横糸）を編織してなり、両ネットの一体化は、両ネットを重ね合わせ、この重ね合わせ部位の編み込みまたは融着により行われ、その一部を編み込みおよび融着しないことによりポケット部２が形成されている。そして、各ポケット部２の両端の開口はそのままでもよいが、編み込みまたは融着により閉じてもよい。
【００１９】
また、ポケット部２は、袋体４を収容できる大きさに構成されているとともに、袋体４を収容する際の挿入口となる縦長の（ポケット部２の幅Ｗ方向に延びる）開口５がポケット部２に適宜の間隔で形成されている。なお、本例では、一つのポケット部に２〜３の袋体４が収容され、また、各ポケット部２に計五つの縦長の開口５が形成されている。そして、各開口５の長さは、ポケット部２の幅Ｗの５割以上となっており、これにより、作業空間となる開口５が大きく開くので施工性がよく、より大型の袋体４を開口５からポケット部２内に挿入することも可能となる。
【００２０】
一方、袋体４内には、保水材としての機能、肥料としての機能、土壌改良材としての機能、植物成長促進剤としての機能のうち、何れか一以上を発揮する一種以上の材料（植生基盤材）６が収容される（図２（Ｃ）参照）。そのような材料６としてはピートモス、バーク堆肥、パーライト、バーミキュライト、ベントナイト、肥沃土（良質土）などを挙げることができる。また、袋体４内に収容する材料６に植物種子を含めてもよく、例えば袋体４内に、施工地周辺の埋土種子入り表土を含めるようにしてもよい。
【００２１】
そして、本例の植栽方法は、例えば、ポケット部２が法面Ｎの等高線に沿うように網状体１を法面Ｎ上に敷設した後（図２（Ａ）参照）、開口５からポケット部２内に苗木３を収容し（図２（Ｂ）参照）、続いて開口５からポケット部２内に袋体４を収容して、袋体４によって苗木３の根３ａを上から押さえ込むようにする（図２（Ｃ）参照）、といった手順で行うことができる。
【００２２】
ここで、法面Ｎ上への網状体１の敷設は、図外のアンカーピン等の適宜の固定具を用いて行うことができる。また、ポケット部２内に収容した袋体４は、例えば、図外のアンカーピン等の適宜の固定具を用いて法面Ｎに固定してもよいし、図外のフック等の適宜の係止具を用いて網状体１に係止してもよいし、袋体４が網状体１によってしっかりと保持されて殆ど動かない場合にはポケット部２内に収容するのみとしてもよい。
【００２３】
また、ポケット部２内において袋体４によって苗木３の根３ａを上から押え込む際、苗木３の枝葉３ｂは袋体４の下敷きにならないようにするのが苗木３の生長促進等の点で好ましい。なお、本例では、図２（Ｃ）に示すように、枝葉３ｂが袋体４の下敷きにならずにその山側に飛び出した状態となるようにする。
【００２４】
以上のようにして行われる本例の植栽方法は、網状体１の敷設後、網状体１のポケット部２内に苗木３と袋体４とを収容し、苗木３の根３ａが袋体４の下敷きになるようにするものであり、穴掘り作業を不要とすることができるので、苗の植栽を簡易にかつ低労力で行うことが可能となる。
【００２５】
また、本例の植栽方法が完了した後は、袋体４内の水分や養分等が袋体４の外部に徐々に浸み出すようになっていれば、これらが苗木３の根３ａに供給され、苗木３は良好に生長することになる。そこで、袋体４内の水分等が外部に徐々に浸み出すようにするためには、例えば、袋体４を、水分等を浸透、透過させる布（不織布）等の素材によって構成すればよい。また、袋体４が水分等を通さない素材からなる場合は、水分等を通すための貫通孔を袋体４に設けてもよい。
【００２６】
さらに、本例の植栽方法では、苗木３の根３ａを土壌中に埋め込むのではなく土壌表面に載置する状態とするので、たとえ植栽先の土壌が水はけの悪い土質をしていても、根３ａが常に水に浸った状態とはならず、故に苗木３の根腐れは生じ難い。
【００２７】
なお、本発明は、上記の実施の形態に何ら限定されず、本発明の要旨を逸脱しない範囲において種々に変形して実施し得ることは勿論である。例えば、以下のような変形例を挙げることができる。
【００２８】
上記のように植栽方法が完了した後は、そのまま飛来種子を待ち受ける待ち受け型の緑化を苗木３の生長による緑化と同時に行ってもよいし、種子や表土等を法面Ｎ上に吹き付け、より積極的な緑化を行うようにしてもよい。また、待ち受け型の緑化を行う場合には、網状体１のポケット部２の下側部分など、適宜の部位を密に構成し、飛来種子や法面Ｎの山側からの流亡種子等を捕捉する効果を高めるようにしてもよい。
【００２９】
網状体１はポケット部２を有していなくてもよい。この場合、網状体１の上側に袋体４を配置してもよいし（この場合、苗木３の根３ａは法面Ｎに接し、かつ袋体４の下敷きとなる状態であれば網状体１の上側にあっても下側にあってもよい）、網状体１に対して予め若しくは法面Ｎへの敷設後に背割れ部（例えば開口５に相当するスリット）を設け、網状体１を法面Ｎに敷設した後、背割れ部から苗木３と袋体４とを網状体１の下側に挿入して固定するようにしてもよい。また、この場合、網状体１を金網としたり、網状体１に替えて植生マットを用いたりすることもできる。
【００３０】
【００３１】
図２（Ｂ）及び（Ｃ）に示す例では、ポケット部２内に先に苗木３を収容しているが、これに限らず、先に袋体４をポケット部２内に収容した状態で固定し、袋体４と法面Ｎとの間に苗木３の根３ａを差し込むようにしてもよい。
【００３２】
また、図２（Ｂ）及び（Ｃ）に示す例では、苗木３の枝葉３ｂが袋体４の山側に飛び出すようにしているが、積雪寒冷地においてこのような植栽を行うと、法面Ｎ上の積雪の重みで枝葉３ｂが谷側に折れ曲がって損傷し枯死する恐れがある。そこで、積雪寒冷地では、苗木３の枝葉３ｂが袋体４の谷側に飛び出すように配するのが好ましい。
【００３３】
上述のように、本例の植栽方法では、その完了後、袋体４内の水分や養分等が袋体４の外部に徐々に浸み出し、これらが苗木３の根３ａに供給されることを狙っている。そこで、この供給がなるべく長期間持続するように、袋体４からの水分等の浸み出しが主に接地面側から行われるようにしてもよい。そのためには、例えば、袋体４において接地部分の水分等の浸透性を非接地部分よりも高めるようにすればよく、具体的には、袋体４に、浸透性の高い素材で構成された部分や貫通孔が密に形成された部分を設け、その部分が下側になるように袋体４を配置すればよい。このように構成すれば、袋体４内の水分や養分が袋体４の下敷きになっている苗木３の根３ａに優先的に供給されることになり、袋体４の上面側から蒸散し、苗木３に供給されない水分等の量を減らすことができる。
【００３４】
一つの袋体４で根３ａを押さえる対象とする苗木３は、一本でも複数本でもよい。前者の場合には袋体４に収容する材料を必要最低限の量とすることができ、後者の場合には使用する袋体４の数を削減することができる。
【００３５】
通水性があり通根可能な防草シート（図示していない）を、網状体１の地面側に一体的に備えていてもよいし、または別体として敷設してもよい。この場合、苗木３は防草シートを介して法面から水分を供給されるので枯死することはなく、かつ、雑草の抑制効果が得られる。
【００３６】
なお、本明細書で挙げた変形例どうしを適宜組み合わせてもよいことはいうまでもない。
【符号の説明】
【００３７】
１    網状体
２    ポケット部
３    苗木
３ａ  根
３ｂ  枝葉
４    袋体
５    開口
６    材料
５１    穴
５２    苗
５３    植栽用土
５４    袋体
５５    開閉部
５６    植栽用開口
Ｎ    法面
Ｗ    幅
【図１】
0006662584.tif 000002
【図２】
0006662584.tif 000003
【図３】
0006662584.tif 000004
【図４】
0006662584.tif 000005